(57)【特許請求の範囲】
【請求項１】
左右一対の側板と、
台紙なしラベルを移送する移送ローラーと、
この移送ローラーにこの台紙なしラベルを押し付けるための押付けエレメントと、を有し、
この移送ローラーにより前記側板の外部に移送されてきた前記台紙なしラベルを貼り付けるための携帯式台紙なしラベル貼付け機の台紙なしラベル押付け装置であって、
前記移送ローラーおよび前記押付けエレメントをプラテンフレームに組み込んでプラテンユニットとするとともに、
前記押付けエレメントは、
前記プラテンフレームに設けたエレメント軸のまわりに回動可能としたエレメントフレームと、
このエレメントフレームに取り付けた少なくとも一対のバックアップローラーと、
このバックアップローラーの間で中央に位置するバックアップリングと、
前記プラテンユニットを前記側板に対して開放することにより、前記移送ローラーと前記押付けエレメントとを互いに離反させて前記台紙なしラベルを挿通することができる間隙を形成可能な付勢部材と、
を有することを特徴とする携帯式台紙なしラベル貼付け機の台紙なしラベル押付け装置。
【請求項２】
前記付勢部材は、前記移送ローラーと前記押付けエレメントとの間において、前記間隙からは側方にずれた位置にこれを設けることを特徴とする請求項１記載の携帯式台紙なしラベル貼付け機の台紙なしラベル押付け装置。
【請求項３】
前記バックアップローラーおよび前記バックアップリングは、非粘着性の物性を有するシリコーンあるいはフッ素系のゴム材からこれを構成することを特徴とする請求項１または２記載の携帯式台紙なしラベル貼付け機の台紙なしラベル押付け装置。
【請求項４】
前記バックアップローラーは、前記移送ローラーの移送用爪の外周部の外周円周溝に接触回転し、
前記バックアップリングは、前記移送ローラーの前記移送用爪の内周部の中央円周溝に接触回転するとともに、
前記移送ローラーと前記押付けエレメントとの間に前記台紙なしラベルを挟持しつつ、前記移送用爪が前記台紙なしラベルの表面側からその移送用スリットに係合し前記移送ローラーの回転によって前記台紙なしラベルを移送可能とすることを特徴とする請求項１ないし３のいずれかに記載の携帯式台紙なしラベル貼付け機の台紙なしラベル押付け装置。
【請求項５】
前記付勢部材は、ねじりコイルバネおよび板バネを有し、
このねじりコイルバネは、前記エレメントフレームにおける一方の外壁面に、前記移送ローラーと前記押付けエレメントとの間において、前記間隙からは側方にずれた位置に設けたバネ取付け軸にこれを取り付けて、前記プラテンユニット全体を前記押付けエレメントに対して常時開放方向に付勢するとともに、
この板バネは、前記移送ローラーとは反対側の前記エレメントフレームの背面にこれを取り付け、前記側板に取り付けた操作レバーのレバー軸部分に当接して、前記ねじりコイルバネと協動して、前記プラテンユニット全体を前記押付けエレメントに対して常時開放方向に付勢することを特徴とする請求項１ないし４のいずれかに記載の携帯式台紙なしラベル貼付け機の台紙なしラベル押付け装置。
【請求項６】
前記プラテンフレームは、前記付勢部材の付勢力に抗して前記側板にこれを固定可能としていることを特徴とする請求項１ないし５のいずれかに記載の携帯式台紙なしラベル貼付け機の台紙なしラベル押付け装置。
【請求項７】
前記エレメントフレームは、
前記移送ローラーの円周部に対向する左右一対の支持フレームと、
この支持フレームから外方にまたがるように出るとともに、前記プラテンフレームに回動可能に設けた左右一対の拡幅フレームと、
前記支持フレームに設けるとともに前記バックアップローラーおよび前記バックアップリングを取り付ける上下一対の回転軸と、を有することを特徴とする請求項１ないし６のいずれかに記載の携帯式台紙なしラベル貼付け機の台紙なしラベル押付け装置。
【請求項８】
前記移送ローラーに設けた移送用突起に係脱して前記移送ローラーを所定ピッチで回動させる移送回動用爪を設け、
前記支持フレームは、その外方に位置している前記拡幅フレームとの間にこの移送回動用爪を往復動可能に配置し、
前記拡幅フレームは、前記プラテンフレームの外壁面に設けた前記エレメント軸のまわりに前記プラテンフレームに対してこれを回動可能としてあり、前記プラテンユニットにおいて前記押付けエレメントに対して前記プラテンフレームを相対的に開閉可能としていることを特徴とする請求項７記載の携帯式台紙なしラベル貼付け機の台紙なしラベル押付け装置。
【発明の詳細な説明】
【技術分野】
【０００１】
本発明は携帯式台紙なしラベル貼付け機の台紙なしラベル押付け装置にかかるもので、とくに帯状の台紙なしラベルを装填して移送し、所望の被貼付け体に貼付け操作を行うための携帯式台紙なしラベル貼付け機の台紙なしラベル押付け装置に関するものである。
【背景技術】
【０００２】
従来から、携帯式ラベル貼付け機を用いて、各種商品その他の被貼付け体にラベルを貼り付け、商品の価格やその他必要な情報を表示することが行われている。
この携帯式ラベル貼付け機の使用にあたっては、ラベルをロール状に巻いた状態で、携帯式ラベル貼付け機における用紙ホルダーなどの保持部に装填保持するとともに、この用紙ホルダーからラベルを帯状に繰り出して、携帯式ラベル貼付け機内に挿通し移送ないし印字可能な状態に装填する必要がある。
【０００３】
携帯式ラベル貼付け機に装填するラベルとしては、帯状のラベル基材と、このラベル基材の裏面に設けた粘着剤層と、ラベル基材の表面に設けた剥離剤層と、を有する一方、台紙を持たない台紙なしラベルがあり、台紙なしラベルは、台紙を持たないことから省資源にも寄与することができる。
この台紙なしラベルを装填して使用する携帯式台紙なしラベル貼付け機においては、機内に装填して移送する台紙なしラベルを移送ローラー部分に押付け部材を押し付けて係合させる機構が必要であるが、移送ローラーに所定ピッチで突出形成してある移送用爪は台紙なしラベルの表面側から台紙なしラベルの移送用スリットに係合するため、この移送ローラーに台紙なしラベルを押し付ける押付け部材は、台紙なしラベルの裏面側における糊面に接触することになり、糊面との粘着性を極力抑えつつ、押付け部材ないし押付け装置を簡単な構成、かつ低コストで製造することが要請されている。
【０００４】
しかしながら、従来の携帯式台紙なしラベル貼付け機では、上記押付け部材についてその部品点数が多く、コストアップの原因ともなっているという問題がある。
さらに、移送ローラーと押付け部材との間に台紙なしラベルの先頭部を的確に挿入してその装填を可能とする必要な間隙を形成する構成をできるだけ単純化する必要があるという問題もある。
【０００５】
なおまた、あらかじめ販売促進情報や広告情報などを印刷したラベルを貼り付ける際には、印字部を設けず、操作レバーの操作のみで、ラベルを貼り付けることができるが、このように構成した携帯式台紙なしラベル貼付け機のプラテンユニット場合であっても、開放操作に手間がかかるという点については同様の問題がある。
【先行技術文献】
【特許文献】
【０００６】
【特許文献１】特開平８−１３３２５９号公報
【発明の概要】
【発明が解決しようとする課題】
【０００７】
本発明は以上のような諸問題にかんがみなされたもので、移送ローラー部分と、台紙なしラベルをこの移送ローラーに押し付けるための押付け部材との間に台紙なしラベルを簡単に装填可能な携帯式台紙なしラベル貼付け機の台紙なしラベル押付け装置を提供することを課題とする。
【０００８】
また本発明は、比較的簡易な構成かつ低コストで、移送ローラーに台紙なしラベルを押し付けることができるようにした携帯式台紙なしラベル貼付け機の台紙なしラベル押付け装置を提供することを課題とする。
【０００９】
また本発明は、簡単な操作で台紙なしラベルを移送ローラー部分に挿通し、さらに押し付けて係合させ、移送可能な状態とすることができる携帯式台紙なしラベル貼付け機の台紙なしラベル押付け装置を提供することを課題とする。
【課題を解決するための手段】
【００１０】
すなわち本発明は、移送ローラーおよびこれに台紙なしラベルを押し付ける押付け部材（押付けエレメント）をプラテンユニットとして側板に対して開閉可能、かつ互いに接離可能とするとともに、バックアップローラーおよびバックアップリングにより台紙なしラベルを移送ローラー側に押し付け可能とすることに着目したもので、左右一対の側板と、台紙なしラベルを移送する移送ローラーと、この移送ローラーにこの台紙なしラベルを押し付けるための押付けエレメントと、を有し、この移送ローラーにより上記側板の外部に移送されてきた上記台紙なしラベルを貼り付けるための携帯式台紙なしラベル貼付け機の台紙なしラベル押付け装置であって、上記移送ローラーおよび上記押付けエレメントをプラテンフレームに組み込んでプラテンユニットとするとともに、上記押付けエレメントは、上記プラテンフレームに設けたエレメント軸のまわりに回動可能としたエレメントフレームと、このエレメントフレームに取り付けた少なくとも一対のバックアップローラーと、このバックアップローラーの間で中央に位置するバックアップリングと、上記プラテンユニットを上記側板に対して開放することにより、上記移送ローラーと上記押付けエレメントとを互いに離反させて上記台紙なしラベルを挿通することができる間隙を形成可能な付勢部材と、を有することを特徴とする携帯式台紙なしラベル貼付け機の台紙なしラベル押付け装置である。
【００１１】
上記付勢部材は、上記移送ローラーと上記押付けエレメントとの間において、上記間隙からは側方にずれた位置にこれを設けることができる。
【００１２】
上記バックアップローラーおよび上記バックアップリングは、非粘着性の物性を有するシリコーンあるいはフッ素系のゴム材からこれを構成することができる。
【００１３】
上記バックアップローラーは、上記移送ローラーの移送用爪の外周部の外周円周溝に接触回転し、上記バックアップリングは、上記移送ローラーの上記移送用爪の内周部の中央円周溝に接触回転するとともに、上記移送ローラーと上記押付けエレメントとの間に上記台紙なしラベルを挟持しつつ、上記移送用爪が上記台紙なしラベルの表面側からその移送用スリットに係合し上記移送ローラーの回転によって上記台紙なしラベルを移送可能とすることができる。
【００１４】
上記付勢部材は、ねじりコイルバネおよび板バネを有し、このねじりコイルバネは、上記エレメントフレームにおける一方の外壁面に、上記移送ローラーと上記押付けエレメントとの間において、上記間隙からは側方にずれた位置に設けたバネ取付け軸にこれを取り付けて、上記プラテンユニット全体を上記押付けエレメントに対して常時開放方向に付勢するとともに、この板バネは、上記移送ローラーとは反対側の上記エレメントフレームの背面にこれを取り付け、上記側板に取り付けた操作レバーのレバー軸部分に当接して、上記ねじりコイルバネと協動して、上記プラテンユニット全体を上記押付けエレメントに対して常時開放方向に付勢することができる。
【００１５】
上記プラテンフレームは、上記付勢部材の付勢力に抗して上記側板にこれを固定可能としていることができる。
【００１６】
上記エレメントフレームは、上記移送ローラーの円周部に対向する左右一対の支持フレームと、この支持フレームから外方にまたがるように出るとともに、上記プラテンフレームに回動可能に設けた左右一対の拡幅フレームと、上記支持フレームに設けるとともに上記バックアップローラーおよび上記バックアップリングを取り付ける上下一対の回転軸と、を有することができる。
【００１７】
上記移送ローラーに設けた移送用突起に係脱して上記移送ローラーを所定ピッチで回動させる移送回動用爪を設け、上記支持フレームは、その外方に位置している上記拡幅フレームとの間にこの移送回動用爪を往復動可能に配置し、上記拡幅フレームは、上記プラテンフレームの外壁面に設けた上記エレメント軸のまわりに上記プラテンフレームに対してこれを回動可能としてあり、上記プラテンユニットにおいて上記押付けエレメントに対して上記プラテンフレームを相対的に開閉可能としていることができる。
【発明の効果】
【００１８】
本発明による携帯式台紙なしラベル貼付け機の台紙なしラベル押付け装置においては、移送ローラーおよび押付けエレメントをプラテンユニットとして側板に対して開閉可能、かつ互いに接離可能とするとともに、バックアップローラーおよびバックアップリングにより台紙なしラベルを移送ローラー側に押し付け可能としたので、バックアップローラーおよびバックアップリングによる台紙なしラベルの移送ローラーへの押付けを簡単かつ確実とし、プラテンユニットを開放すると同時に、移送ローラーおよび押付けエレメントを互いに離反させてその間に台紙なしラベルを挿通することができる。
さらに、バックアップローラーおよびバックアップリングを、非粘着性の物性を有するシリコーンあるいはフッ素系のゴム材から構成するようにすれば、これらの部品は、単純な射出成形により成型可能であって、コストの上昇を抑制することができる。
【図面の簡単な説明】
【００１９】
【図１】本発明の実施例による台紙なしラベル押付け装置９（図４）を装備した携帯式台紙なしラベル貼付け機１の側面図である。
【図２】同、用紙ホルダー４およびプラテンユニット６を開放した状態の側面図である。
【図３】同、一方の側板２を取り除いた状態の概略側面図である。
【図４】同、プラテンユニット６および台紙なしラベル押付け装置９の分解斜視図である。
【図５】同、操作レバー５および移送ローラー１８の部分の要部斜視図である。
【図６】同、移送ローラー１８と押付けエレメント１９とが互いに押し付けられた状態におけるプラテンユニット６の閉鎖状態の要部側面図である。
【図７】同、台紙なしラベル押付け装置９によって移送ローラー１８が押付けエレメント１９から離間し、互いの間に間隙４２が形成されるプラテンユニット６の開放状態の要部側面図である。
【発明を実施するための形態】
【００２０】
本発明は、移送ローラーおよび押付けエレメントとともにバックアップローラーおよびバックアップリングをプラテンユニットとして組み込み、バックアップローラーおよびバックアップリングにより台紙なしラベルを移送ローラー側に押し付け可能としたので、台紙なしラベルの移送ローラーへの押付けを簡単かつ確実とした携帯式台紙なしラベル貼付け機の台紙なしラベル押付け装置を実現した。
【実施例】
【００２１】
つぎに本発明の実施例による携帯式台紙なしラベル貼付け機の台紙なしラベル押付け装置を図１ないし図７にもとづき説明する。
図１は、携帯式台紙なしラベル貼付け機１の側面図、図２は、同、用紙ホルダー４およびプラテンユニット６を開放した状態の側面図、図３は、同、一方の側板２を取り除いた状態の概略側面図である。
携帯式台紙なしラベル貼付け機１は、左右（紙面表裏）一対の側板２と、台紙なしラベル３の用紙ホルダー４と、操作レバー５と、プラテンユニット６と、印字器７と、貼付けローラー８と、台紙なしラベル押付け装置９と、を有する。
【００２２】
左右一対の側板２は、操作者が握持可能なグリップ１０を一体に形成するとともに、このグリップ１０に対してレバー軸１１（図３）のまわりに操作レバー５を回動操作可能としている。
なお、操作レバー５とグリップ１０との間には、任意の付勢部材、たとえばコイルスプリング１２を設けて、操作レバー５をグリップ１０に対して、図１に示すような常時（操作レバー５の解放時）離反状態に付勢可能としている。
操作者は、コイルスプリング１２の付勢力に抗してグリップ１０および操作レバー５を握持して携帯式台紙なしラベル貼付け機１内のプラテンユニット６および印字器７を駆動するとともに、この握持操作を解放後、携帯式台紙なしラベル貼付け機１の貼付けローラー８による台紙なしラベル３の貼付け操作を行うことになる。
【００２３】
台紙なしラベル３は、これをロール状に巻いて用紙ホルダー４に保持するとともに、操作レバー５の操作にともなって、プラテンユニット６により印字器７方向に台紙なしラベル３を帯状に繰り出し、プラテンユニット６の先端部でプラテンユニット６から台紙なしラベル３を分離し、貼付けローラー８により台紙なしラベル３を被貼付け体（図示せず）に貼り付け可能とする。ただし、台紙なしラベル３には所定ピッチで移送用スリット３Ａなどを形成し、プラテンユニット６上を移送する際に、任意の切断分離ユニット（図示せず）により、帯状の台紙なしラベル３から単葉のラベル片３Ｂとすることができる。
【００２４】
用紙ホルダー４は、側板２の上面に設けたホルダー軸１３のまわりに側板２に対して開閉回動可能とした断面半円弧状のホルダーカバー１４と、このホルダーカバー１４の内部に設けたラベル保持軸１５と、側板２への固定用フック１６（図２）と、を有し、ラベル保持軸１５にロール状の台紙なしラベル３を装填保持可能としてある。
【００２５】
図４は、プラテンユニット６および台紙なしラベル押付け装置９の分解斜視図であり、プラテンユニット６は、用紙ホルダー４から帯状に繰り出された台紙なしラベル３をその上面に移送するもので、プラテンフレーム１７と、移送ローラー１８と、押付けエレメント１９と、を有し、台紙なしラベル押付け装置９により移送ローラー１８と押付けエレメント１９との間を接離可能とする。
【００２６】
プラテンフレーム１７は、側板２に設けたプラテン開閉軸２０のまわりにこれを回動可能とし、側板２に対してプラテンユニット６全体を開閉し、台紙なしラベル３の挿通装填を可能とする。
プラテンフレーム１７は、駆動ギア２１および従動ギア２２と、これら駆動ギア２１および従動ギア２２のまわりに掛け回した移送用無端ベルト２３と、を備えており、駆動ギア２１が移送ローラー１８のローラーギア２４に係合する。
移送用無端ベルト２３は、移送ローラー１８により移送されてくる台紙なしラベル３をさらに移送可能であって、その表面は、台紙なしラベル３の裏面（糊面）が接触移送されるため、非粘着性の物性を有するシリコーンあるいはフッ素系のゴム材からこれを構成するか、剥離剤などを塗布しておく。また、このプラテンユニット１７に組み込まれた移送用無端ベルト２３は、印字器７による台紙なしラベル３への押印動作の受け台ともなるもので、その内方において印字器７に対向する受圧用プレート（図示せず）を配置してある。
なお、プラテンフレーム１７の先端側の左右には、一対の係脱ローラー２５を突出形成し、側板２に設けた開閉用つまみ２６（図１、図２）に連動してつまみ軸２７（図３）のまわりに回動する開閉用係脱片２８の係脱用凹部２８Ａに係脱可能としてある。ただし、つまみ軸２７には任意のバネ材（図示せず）を設けて、開閉用係脱片２８が係脱ローラー２５に係合する方向にこれを付勢している。
すなわち、開閉用つまみ２６は、係脱ローラー２５に係脱する開閉用係脱片２８を操作して、プラテンユニット６と開閉用係脱片２８とを互いに係脱可能としている。
【００２７】
図５は、操作レバー５および移送ローラー１８の部分の要部斜視図であって、移送ローラー１８は、プラテンフレーム１７に設けたローラー軸２９のまわりに移送方向に所定ピッチでこれを回転可能としてある。
操作レバー５のレバー軸１１の下方部に延びる連結アーム３０の連結軸３１に、移送回動用爪３２を往復動可能に取り付けてあり、この移送回動用爪３２が移送ローラー１８におけるローラーギア２４の側面に放射状に設けた複数個の移送用突起３３それぞれに係脱可能である。
【００２８】
かくして、操作レバー５をグリップ１０とともに握持および解放することにより、連結アーム３０、移送回動用爪３２およびローラーギア２４などを介してローラー軸２９のまわりに移送ローラー１８を所定ピッチだけ回転して台紙なしラベル３を移送可能とするとともに、移送ローラー１８のローラーギア２４と駆動ギア２１との連結係合により移送用無端ベルト２３を回転させて台紙なしラベル３をその上面に移送可能である。
【００２９】
さらに移送ローラー１８は、その中央円周溝３４の左右に所定ピッチで左右一対の移送用爪３５を突出形成し、移送用爪３５の外周側に左右一対の外周円周溝３６を形成してあり、この移送用爪３５を台紙なしラベル３の移送用スリット３Ａに係脱可能としている。
なお、操作レバー５には、その先端側に二股状のヨーク部５Ａを有し、このヨーク部５Ａに印字器７（図１）を取り付けている。
【００３０】
図４に戻って、押付けエレメント１９は、移送ローラー１８に台紙なしラベル３を押し付けるためのものであり、エレメントフレーム３７と、上下左右二対のバックアップローラー３８と、バックアップローラー３８の間で中央に位置するバックアップリング３９と、ねじりコイルバネ４０および左右一対の板バネ４１（付勢部材）と、を有する。
ねじりコイルバネ４０および左右一対の板バネ４１は、プラテンユニット６が開閉用係脱片２８から離脱したときに、移送ローラー１８と押付けエレメント１９とを互いに離反させる付勢部材として機能し、押付けエレメント１９から移送ローラー１８を離反させ、その間に台紙なしラベル３を挿通可能とする間隙４２（図７）を形成可能とする。
ただし、プラテンフレーム１７は、係脱ローラー２５と開閉用係脱片２８との係合により、ねじりコイルバネ４０および板バネ４１の付勢力に抗して側板２にこれを固定可能としている。
エレメントフレーム３７は、移送ローラー１８の円周部に対向する左右一対の支持フレーム４３と、支持フレーム４３から外方にまたがるように出た左右一対の拡幅フレーム４４と、支持フレーム４３に設けるとともにバックアップローラー３８およびバックアップリング３９を取り付ける上下一対の回転軸４５と、を有する。
【００３１】
図６は、移送ローラー１８と押付けエレメント１９とが互いに押し付けられた状態におけるプラテンユニット６の閉鎖状態の要部側面図である。
バックアップローラー３８およびバックアップリング３９は、台紙なしラベル３の裏面（糊面）が接触移送されるため、非粘着性の物性を有するシリコーンあるいはフッ素系のゴム材からこれを構成するか、剥離剤などを塗布しておくもので、台紙なしラベル３を移送ローラー１８側に押し付け可能である。
また、バックアップローラー３８およびバックアップリング３９は、台紙なしラベル３の糊面に線接触するため、糊面との粘着力を極力小さくすることができるとともに、所定のバネ弾性をもった押付けが可能である。
バックアップローラー３８は、移送ローラー１８の移送用爪３５の外周部の外周円周溝３６に接触回転するとともに、バックアップリング３９が、移送ローラー１８の移送用爪３５の内周部の中央円周溝３４に接触回転することにより、移送ローラー１８と押付けエレメント１９との間に台紙なしラベル３を挟持しつつ、また、移送用爪３５が台紙なしラベル３の表面側からその移送用スリット３Ａに係合し移送ローラー１８の回転によって台紙なしラベル３を移送用無端ベルト２３上に送り出す。
【００３２】
図７は、台紙なしラベル押付け装置９によって移送ローラー１８が押付けエレメント１９から離間し、互いの間に間隙４２が形成されるプラテンユニット６の開放状態の要部側面図である。
上記ねじりコイルバネ４０は、エレメントフレーム３７における一方の支持フレーム４３の外壁面に、移送ローラー１８と押付けエレメント１９との間において、間隙４２からは側方にずれた位置に設けたバネ取付け軸４６（図６も参照）にこれを取り付けてあり、プラテンフレーム１７の内壁面に設けた第１のバネ受け４７と、上記一方の支持フレーム４３に設けた第２のバネ受け４８との間にこれを配置し、プラテンフレーム１７（プラテンユニット６）全体を押付けエレメント１９に対して常時開放方向（図７）に付勢する。
上記板バネ４１は、移送ローラー１８とは反対側の支持フレーム４３の背面にこれを取り付け、操作レバー５のレバー軸１１部分に当接して、ねじりコイルバネ４０と協動して、プラテンフレーム１７（プラテンユニット６）全体を押付けエレメント１９に対して常時開放方向（図７）に付勢する。
【００３３】
支持フレーム４３は、その外方に位置している拡幅フレーム４４との間に連結アーム３０からの移送回動用爪３２を往復動可能に配置している。
拡幅フレーム４４は、プラテンフレーム１７の外壁面に設けたエレメント軸４９（図４）のまわりにプラテンフレーム１７に対してこれを回動可能としてあり、プラテンユニット６において押付けエレメント１９に対してプラテンフレーム１７を相対的に開閉可能としている。
したがって、押付けエレメント１９は、プラテンフレーム１７に設けたエレメント軸４９のまわりにこれを回動可能となっている。
【００３４】
印字器７は、操作レバー５における二股状のヨーク部５Ａの先端部側にこれを取り付け、インキローラー５０（図１）により印字器７の活字にインキを塗布し、プラテンユニット６における移送用無端ベルト２３の上面に移送されてきた台紙なしラベル３（ラベル片３Ｂ）に所定の情報を印字する。
【００３５】
貼付けローラー８は、側板２の先端下方部に位置し、プラテンユニット６における移送用無端ベルト２３の先端部分で移送用無端ベルト２３から剥離されたラベル片３Ｂを、携帯式台紙なしラベル貼付け機１全体の貼付け操作にともなって、貼付けローラー８によるラベル片３Ｂを被貼付け体に貼り付ける。
すなわち、貼付けローラー８は、側板２の端部（図１中、左端下方端部）に位置するとともに、その円周部の一部が側板２の外部に露出しており、側板２の外部に排出するようにプラテンユニット６およびその移送用無端ベルト２３を通って側板２の外部に移送されてきたラベル片３Ｂを、貼付けローラー８を被貼付け体に打ち付けるようにして回転させることにより、被貼付け体に貼り付け可能とする。
【００３６】
とくに、図３、図４、図６および図７に示すように、台紙なしラベル押付け装置９は、上述の移送ローラー１８に台紙なしラベル３を押し付けるためのものであって、エレメントフレーム３７、上下左右二対のバックアップローラー３８、バックアップリング３９、ねじりコイルバネ４０および左右一対の板バネ４１などによりこれを構成するもので、プラテンユニット６を側板２に対して閉鎖することにより、バックアップローラー３８およびバックアップリング３９が台紙なしラベル３を移送ローラー１８に確実に係合させ、また、開閉用つまみ２６を操作してプラテンユニット６を側板２に対して開放することにより、移送ローラー１８からバックアップローラー３８およびバックアップリング３９を離反させて台紙なしラベル３を挿通することができる間隙４２を形成可能である。
【００３７】
こうした構成の携帯式台紙なしラベル貼付け機１および台紙なしラベル押付け装置９において、開閉用つまみ２６を操作し、開閉用係脱片２８の係脱用凹部２８Ａと係脱ローラー２５との間の係合を解除することにより、プラテンユニット６を側板２に対して開放すると、板バネ４１を介してレバー軸１１ないしは側板２からの反力を受けて、ねじりコイルバネ４０が押付けエレメント１９から移送ローラー１８部分を離反させ、移送ローラー１８と押付けエレメント１９との間が最大限に開いて間隙４２が形成される。
したがって、移送ローラー１８の円周部における中央円周溝３４、移送用爪３５および外周円周溝３６と、押付けエレメント１９のバックアップローラー３８およびバックアップリング３９との間に形成される間隙４２の部分に台紙なしラベル３の先頭部を挿通することができる。
ついで、プラテンユニット６を図６の状態に閉鎖して、開閉用係脱片２８の係脱用凹部２８Ａと係脱ローラー２５とを係合させ、操作レバー５およびグリップ１０を何回か握持して、台紙なしラベル３の移送用スリット３Ａに移送用爪３５を係合させれば、台紙なしラベル３の移送を可能として装填を完了する。
【００３８】
プラテンユニット６を閉鎖した状態の携帯式台紙なしラベル貼付け機１において、操作レバー５およびグリップ１０を握持することにより、印字器７が移送用無端ベルト２３上の台紙なしラベル３に印字を行うとともに、移送回動用爪３２が移送ローラー１８におけるローラーギア２４の移送用突起３３から隣りの（図５中、左側の）移送用突起３３側に移行し、ついで操作レバー５の解放によって、移送回動用爪３２がこの移送用突起３３を前方に（図５中、右方向に）回動させて、移送ローラー１８を所定ピッチで回動して台紙なしラベル３を移送する。
さらに移送ローラー１８に係合している駆動ギア２１が回動することにより移送用無端ベルト２３を回動させて、その上面の台紙なしラベル３を側板２の外方に送り出し可能とする。
移送用無端ベルト２３の先頭部（下流側）において側板２の外方に送り出された台紙なしラベル３のラベル片３Ｂを貼付けローラー８により所定の被貼付け体に貼り付けることができる。
【００３９】
かくして、台紙なしラベル押付け装置９における押付けエレメント１９およびそのバックアップローラー３８およびバックアップリング３９が移送ローラー１８に接離することにより、台紙なしラベル３の移送ローラー１８への押付けおよびその解除ないし挿通を可能とし、側板２の外面に設けた開閉用つまみ２６を操作するだけで、プラテンユニット６を側板２に対して開放すると同時に、移送ローラー１８や移送用無端ベルト２３などを組み込んでいるプラテンユニット６と、押付けエレメント１９との間に間隙４２を形成して、台紙なしラベル３の挿通操作を簡単に行うことができる。
【符号の説明】
【００４０】
１  携帯式台紙なしラベル貼付け機（図１）
２  左右一対の側板
３  台紙なしラベル
３Ａ  台紙なしラベル３の移送用スリット
３Ｂ  台紙なしラベル３の単葉のラベル片
４  用紙ホルダー
５  操作レバー
５Ａ  操作レバー５の二股状のヨーク部
６  プラテンユニット（図４）
７  印字器
８  貼付けローラー
９  携帯式台紙なしラベル貼付け機１の台紙なしラベル押付け装置（実施例、図４、図６、図７）
１０  グリップ
１１  レバー軸
１２  コイルスプリング
１３  ホルダー軸
１４  ホルダーカバー
１５  ラベル保持軸
１６  固定用フック
１７  プラテンフレーム（図４）
１８  移送ローラー
１９  押付けエレメント（図４）
２０  プラテン開閉軸
２１  駆動ギア
２２  従動ギア
２３  移送用無端ベルト
２４  ローラーギア
２５  係脱ローラー
２６  開閉用つまみ
２７  つまみ軸
２８  開閉用係脱片
２８Ａ  開閉用係脱片２８の係脱用凹部
２９  ローラー軸
３０  連結アーム
３１  連結軸
３２  移送回動用爪
３３  移送ローラー１８の移送用突起
３４  中央円周溝
３５  左右一対の移送用爪
３６  左右一対の外周円周溝
３７  エレメントフレーム
３８  上下左右二対のバックアップローラー
３９  バックアップリング
４０  ねじりコイルバネ（付勢部材）
４１  左右一対の板バネ（付勢部材）
４２  移送ローラー１８と押付けエレメント１９との間の間隙（図７）
４３  左右一対の支持フレーム
４４  左右一対の拡幅フレーム
４５  上下一対の回転軸
４６  バネ取付け軸
４７  第１のバネ受け
４８  第２のバネ受け
４９  エレメント軸
５０  インキローラー
【図１】
0005523155.tif 000002
【図２】
0005523155.tif 000003
【図３】
0005523155.tif 000004
【図４】
0005523155.tif 000005
【図５】
0005523155.tif 000006
【図６】
0005523155.tif 000007
【図７】
0005523155.tif 000008